【手続補正書】
【提出日】平成21年4月14日(2009.4.14)
【手続補正１】
【補正対象書類名】特許請求の範囲
【補正対象項目名】全文
【補正方法】変更
【補正の内容】
【特許請求の範囲】
【請求項１】
複数の画像処理デバイス及びクライアント装置とネットワークを介して接続される管理システムであって、
複数の画像処理デバイスをグループ化し、階層属性を付加したデバイスグループとして管理するための管理情報を格納する格納手段と、
前記管理情報に基づき、複数のデバイスグループを階層化して表示部に表示させる表示制御手段と、
前記表示部に表示された階層化された前記複数のデバイスグループの中から何れかのデバイスグループを選択する選択手段と、
前記選択手段により選択されたデバイスグループについて、ジョブの実行に際して利用が制限される機能に関する機能制限情報の設定を受け付ける設定受付手段と、
前記機能制限情報を、該設定がなされたデバイスグループ内に含まれる複数の画像処理デバイスの全てについて設定する設定手段と
を備え、
前記設定手段は、前記選択されたデバイスグループの下位階層の画像処理デバイスのグループに前記設定手段により設定された機能制限情報を設定することを特徴とする管理システム。
【請求項２】
外部装置からの要求に対して認証を行う認証手段と、前記認証手段による認証に基づき、前記認証の要求元にジョブ実行に係わる許可情報を応答する応答手段とを備え、複数の画像処理デバイスと通信可能な管理システムであって、
複数の画像処理デバイスからなるグループを設定するグループ化手段と、
画像処理デバイスの機能制限設定を指示するための設定指示手段と、
前記設定指示手段により指示された機能制限設定を前記グループ化手段によりグループ化された複数の画像処理デバイスに一括して設定する設定手段とを有し、
前記応答手段は、前記グループ化された複数の画像処理デバイスの何れかから前記要求があった場合に、前記設定手段による設定内容を参照し、機能制限に係わる応答を行う
ことを特徴とする管理システム。
【請求項３】
前記グループ化手段は、前記複数の画像処理デバイスからなるグループに階層属性を設定することを特徴とする請求項２に記載の管理システム。
【請求項４】
前記設定手段は、選択された何れかのグループの下位の階層のグループに含まれる複数の画像処理デバイスについて前記機能制限設定を一括して行うことを特徴とする請求項３に記載の管理システム。
【請求項５】
複数のグループのいずれかの選択を受け付ける選択受付手段と、
選択を受け付けたグループを、別の階層属性を有するグループに移動する指示を受け付ける移動指示受付手段とを更に有し、
前記設定手段は、前記移動の指示を受け付けたグループに含まれる複数の画像処理デバイスに対して、移動先グループの前記機能制限設定に基づく設定を行うことを特徴とする請求項３又は４に記載の管理システム。
【請求項６】
前記選択受付手段により何れかのグループの選択を受け付けた場合に、移動先として不適合なグループを識別する識別手段と、
前記識別手段により識別されたグループを識別可能に表示させる表示制御手段と
を有することを特徴とする請求項５に記載の管理システム。
【請求項７】
前記階層属性に基づき複数のグループが木構造で表示されることを特徴とする請求項３乃至６の何れか１項に記載の管理システム。
【請求項８】
前記認証手段はユーザを認証し、前記応答手段はユーザ毎の機能制限設定を参照し、認証対象のユーザに対応する機能制限に係わる応答を行うことを特徴とし、
さらに、前記デバイスのグループに対し、ユーザに非依存で適用可能なデバイスへの機能制限設定と、ユーザ毎の機能制限設定とのいずれを優先させるかを設定する優先設定手段と、
何れかのユーザにおけるジョブ実行時に、該優先設定手段による設定に基づいて、前記ユーザに非依存で適用可能なデバイスへの機能制限設定と、前記ユーザ毎の機能制限設定との何れかを使い分ける切り分け手段と
を有することを特徴とする請求項２乃至７の何れか１項に記載の管理システム。
【請求項９】
前記設定手段はゲストユーザの画像処理デバイスへのログインの制限を設定することを特徴とする請求項２乃至８の何れか１項に記載の管理システム。
【請求項１０】
前記設定手段は、機能制限設定として、リモートコピーの許可・禁止、或いは、リモートスキャンの許可・禁止を設定することを特徴とする請求項２又は３に記載の管理システム。
【請求項１１】
前記外部装置は画像処理デバイスであり、前記画像処理デバイスからの要求は、前記画像処理デバイスが起動した時、又は、画像処理デバイスの操作部を介して指示が入力された時、に応じたタイミングでなされることを特徴とする請求項２乃至１０の何れか１項に記載の管理システム。
【請求項１２】
管理システムであって、
複数の画像処理デバイスからなるグループを設定するグループ化手段と、
画像処理デバイスの機能制限設定を指示する為の設定指示手段と、
前記設定指示手段により指示された機能制限設定を前記グループ化手段によりグループ化された複数の画像処理デバイスに一括して設定する設定手段と
を有することを特徴とする管理システム。
【請求項１３】
複数の画像処理デバイス及びクライアント装置とネットワークを介して接続され、複数の画像処理デバイスをグループ化し、階層属性を付加したデバイスグループとして管理するための管理情報を格納する格納手段を備える管理システムの制御方法であって、
表示制御手段が、前記管理情報に基づき、複数のデバイスグループを階層化して表示部に表示させる表示制御工程と、
選択手段が、前記表示部に表示された階層化された前記複数のデバイスグループの中から何れかのデバイスグループを選択する選択工程と、
設定受付手段が、前記選択工程において選択されたデバイスグループについて、ジョブの実行に際して利用が制限される機能に関する機能制限情報の設定を受け付ける設定受付工程と、
設定手段が、前記機能制限情報を、該設定がなされたデバイスグループ内に含まれる複数の画像処理デバイスの全てについて設定する設定工程と
を備え、
前記設定工程では、前記選択されたデバイスグループの下位階層の画像処理デバイスのグループについて設定された機能制限情報が設定されることを特徴とする管理システムの制御方法。
【請求項１４】
外部装置からの要求に対して認証を行う認証手段と、前記認証手段による認証に基づき、前記認証の要求元にジョブ実行に係わる許可情報を応答する応答手段とを備え、複数の画像処理デバイスと通信可能な管理システムの制御方法であって、
グループ化手段が、複数の画像処理デバイスからなるグループを設定するグループ化工程と、
設定指示手段が、画像処理デバイスの機能制限設定を指示するための設定指示工程と、
設定手段が、前記設定指示工程において指示された機能制限設定を前記グループ化工程においてグループ化された複数の画像処理デバイスに一括して設定する設定工程と、
前記応答手段が、前記グループ化された複数の画像処理デバイスの何れかから前記要求があった場合に、前記設定工程における設定内容を参照し、機能制限に係わる応答を行う応答工程と
を備えることを特徴とする管理システムの制御方法。
【請求項１５】
前記グループ化工程では、前記複数の画像処理デバイスからなるグループに階層属性が設定されることを特徴とする請求項１４に記載の管理システムの制御方法。
【請求項１６】
前記設定工程では、選択された何れかのグループの下位の階層のグループに含まれる複数の画像処理デバイスについて前記機能制限設定が一括して行われることを特徴とする請求項１５に記載の管理システムの制御方法。
【請求項１７】
選択受付手段が、複数のグループのいずれかの選択を受け付ける選択受付工程と、
移動指示受付手段が、選択を受け付けたグループを、別の階層属性を有するグループに移動する指示を受け付ける移動指示受付工程とを更に有し、
前記設定工程では、前記移動の指示を受け付けたグループに含まれる複数の画像処理デバイスに対して、移動先グループの前記機能制限設定に基づく設定が行われることを特徴とする請求項１５又は１６に記載の管理システムの制御方法。
【請求項１８】
識別手段が、前記選択受付工程において何れかのグループの選択を受け付けた場合に、移動先として不適合なグループを識別する識別工程と、
表示制御手段が、前記識別工程により識別されたグループを識別可能に表示させる表示制御工程とを有することを特徴とする請求項１７に記載の管理システムの制御方法。
【請求項１９】
前記階層属性に基づき複数のグループが木構造で表示されることを特徴とする請求項１５乃至１８の何れか１項に記載の管理システムの制御方法。
【請求項２０】
前記認証手段が、ユーザを認証する認証工程と、
前記応答手段が、ユーザ毎の機能制限設定を参照し、認証対象のユーザに対応する機能制限に係わる応答を行う工程と、
優先設定手段が、前記デバイスのグループに対し、ユーザに非依存で適用可能なデバイスへの機能制限設定と、ユーザ毎の機能制限設定とのいずれを優先させるかを設定する優先設定工程と、
切り分け手段が、何れかのユーザにおけるジョブ実行時に、該優先設定工程における設定に基づいて、前記ユーザに非依存で適用可能なデバイスへの機能制限設定と、前記ユーザ毎の機能制限設定との何れかを使い分ける切り分け工程と
を有することを特徴とする請求項１４乃至１９の何れか１項に記載の管理システムの制御方法。
【請求項２１】
前記設定工程では、ゲストユーザの画像処理デバイスへのログインの制限が設定されることを特徴とする請求項１４乃至２０の何れか１項に記載の管理システムの制御方法。
【請求項２２】
前記設定工程では、機能制限設定として、リモートコピーの許可・禁止、或いは、リモートスキャンの許可・禁止が設定されることを特徴とする請求項１４又は１５に記載の管理システムの制御方法。
【請求項２３】
前記外部装置は画像処理デバイスであり、前記画像処理デバイスからの要求は、前記画像処理デバイスが起動した時、又は、画像処理デバイスの操作部を介して指示が入力された時、に応じたタイミングでなされることを特徴とする請求項１４乃至２２の何れか１項に記載の管理システムの制御方法。
【請求項２４】
管理システムの制御方法であって、
グループ化手段が、複数の画像処理デバイスからなるグループを設定するグループ化工程と、
設定指示手段が、画像処理デバイスの機能制限設定を指示する為の設定指示工程と、
設定手段が、前記設定指示工程において指示された機能制限設定を前記グループ化工程においてグループ化された複数の画像処理デバイスに一括して設定する設定工程と
を有することを特徴とする管理システムの制御方法。
【請求項２５】
請求項１３乃至２４のいずれか１項に記載の管理システムの制御方法をコンピュータに実行させるためのコンピュータプログラム。
【請求項２６】
請求項２５に記載のコンピュータプログラムを記憶したコンピュータで読み取り可能な記憶媒体。